(57)【特許請求の範囲】
【請求項１】
被処理水を蒸発法で淡水化する蒸発法淡水化装置と、前記被処理水を順浸透膜と前記被処理水よりも浸透圧の高い炭酸アンモニウム水溶液を誘導溶液として使用して淡水化する順浸透膜法淡水化装置とを備えた淡水の製造方法において、前記順浸透膜法淡水化装置で生成する前記誘導溶液と膜浸透水とが混合した希釈誘導溶液を所定の温度に調整し、前記希釈誘導溶液から二酸化炭素、アンモニア、水蒸気からなるガスと淡水を蒸留分離する際に、蒸留塔から排出されるガスおよび／または淡水を利用して前記希釈誘導溶液の温度調整を行うとともに、前記蒸発法淡水化装置で製造された淡水の顕熱を熱交換器を介して前記希釈誘導溶液に伝達することを特徴とする淡水製造方法。
【請求項２】
被処理水を蒸発法で淡水化する蒸発法淡水化装置と、前記被処理水を順浸透膜と前記被処理水よりも浸透圧の高い炭酸アンモニウム水溶液を誘導溶液として使用して淡水化する順浸透膜法淡水化装置とを備えた淡水の製造方法において、前記順浸透膜法淡水化装置で生成する前記誘導溶液と膜浸透水とが混合した希釈誘導溶液を所定の温度に調整し、前記希釈誘導溶液から二酸化炭素、アンモニア、水蒸気からなるガスと淡水を蒸留分離する際に、蒸留塔から排出されるガスおよび／または淡水を利用して前記希釈誘導溶液の温度調整を行うとともに、前記蒸発法淡水化装置で製造された淡水を直接前記希釈誘導溶液に投入することを特徴とする淡水製造方法。
【請求項３】
被処理水を蒸発法で淡水化する蒸発法淡水化装置と、前記被処理水を順浸透膜と前記被処理水よりも浸透圧の高い炭酸アンモニウム水溶液を誘導溶液として使用して淡水化する順浸透膜法淡水化装置とを有する淡水製造装置であって、前記順浸透膜法淡水化装置で生成する前記誘導溶液と膜浸透水とが混合した希釈誘導溶液から二酸化炭素、アンモニア、水蒸気からなるガスと淡水を蒸留分離する蒸留装置と、該蒸留装置から排出されるガスおよび／または淡水を利用して前記希釈誘導溶液を所定の温度に調整する希釈誘導溶液温度調節手段と、前記蒸発法淡水化装置で製造された淡水の顕熱を前記蒸留装置で蒸留される前記希釈誘導溶液に伝達する熱交換器を有することを特徴とする淡水製造装置。
【請求項４】
被処理水を蒸発法で淡水化する蒸発法淡水化装置と、前記被処理水を順浸透膜と前記被処理水よりも浸透圧の高い炭酸アンモニウム水溶液を誘導溶液として使用して淡水化する順浸透膜法淡水化装置とを有する淡水製造装置であって、前記順浸透膜法淡水化装置で生成する前記誘導溶液と膜浸透水とが混合した希釈誘導溶液から二酸化炭素、アンモニア、水蒸気からなるガスと淡水を蒸留分離する蒸留装置と、該蒸留装置から排出されるガスおよび／または淡水を利用して前記希釈誘導溶液を所定の温度に調整する希釈誘導溶液温度調節手段と、前記蒸発法淡水化装置で製造された淡水を前記希釈誘導溶液に直接混合する手段を有することを特徴とする淡水製造装置。
【発明の詳細な説明】
【技術分野】
【０００１】
この発明は、例えば海水を蒸発法と半透膜を利用する方法を組み合せて淡水を製造する方法と装置に関するものである。
【背景技術】
【０００２】
海水や排水を淡水化する技術には、これらの水を加熱し、減圧下で蒸発・凝縮させて淡水を得る蒸発法と、逆浸透膜を使用し、この逆浸透膜に海水の浸透圧の２倍以上の圧力をかけ、塩分は膜を透過させず水のみを透過させることにより、淡水を得る逆浸透膜法とが知られている。そして、これら二つの技術を組み合わせ、淡水の需要量と電力の需要量とのバランスに対応できるシステムも知られている。
【０００３】
例えば、特許文献１には、海水を多段フラッシュシステムで蒸発させて淡水化する方法において、海水の淡水化率を向上させるために、熱拒否部で昇温された排海水を逆浸透システムに導入してさらに淡水を得る方法が開示されている。
【０００４】
また、特許文献２には、逆浸透膜を用いた海水淡水化システムにおいて、海水の冷熱を熱交換してこれを冷却源として用いる発電設備と、この熱交換で水温が上昇した海水を加圧して逆浸透膜で淡水化する技術が開示されている。この発電設備には、蒸気タービンを用いる方法も開示されている。
【０００５】
この特許文献２の図５に開示されているシステムを図２と図３に示す。
【０００６】
このシステムにおいては、図２に示すように、海水２０は熱交換器２２に入って媒体２８と熱交換して加温され、この加温海水３０は海水淡水化設備１４に送られる。そして、そこから淡水３２が取り出される。一方、冷却された媒体２８は発電設備２６に送られる。この海水淡水化設備として、蒸発法海水淡水化設備４６と逆浸透法海水淡水化設備４８を組み合わせたものが図３に示されている。加温海水３０は図面右下から逆浸透法海水淡水化設備４８に入り、淡水３２が取り出される。一方、図面左方の発電設備２６には燃料３４が供給されて、そこから供給電力３６が取り出される。この発電設備２６の排熱３８は排熱分配設備５０で分配されて、それぞれ蒸発法海水淡水化設備４６と逆浸透法海水淡水化設備４８に送られる。この排熱の分配は、淡水需要量情報４０に基いて、分配量演算部４２で計算されて分配指示情報４４が排熱分配設備５０に送られることによって行われる。
【先行技術文献】
【特許文献】
【０００７】
【特許文献１】特開昭６０−１７２３９３号公報
【特許文献２】特開２０１１−１７７６００号公報
【特許文献３】米国特許出願公開第２００５／０１４５５６８Ａ１号明細書
【特許文献４】特開２０１１−８３６６３号公報
【発明の概要】
【発明が解決しようとする課題】
【０００８】
上記の蒸発法は、原水の蒸発に多くの熱エネルギーを必要とするものであり、また、逆浸透膜法も高圧ポンプを使用するため大きな電力が必要であり、ともに多くのエネルギーを使用する技術である上に、一方の排エネルギーを他方が利用することができないシステムであり、エネルギーをより効率的に利用できるシステムが望まれている。
【課題を解決するための手段】
【０００９】
本発明者は、先に、揮発性の物質を溶解させた浸透圧の高い誘導溶液を用い、逆浸透膜法のように高圧を必要としない順浸透膜法による淡水化技術について出願した（特願２０１１−２３８２８４）が、この順浸透膜法においては、希釈された誘導溶液から揮発性の溶質と淡水を蒸留分離するための熱源が必要となる。この熱源として、蒸発法で製造された淡水の熱（温度６０〜７０℃）を利用できることに着目し、蒸発法と順浸透膜法を組み合わせた新たな淡水製造手段を考案した。
【００１０】
すなわち、本発明は、被処理水を蒸発法で淡水化する蒸発法淡水化装置と、前記被処理水を順浸透膜と前記被処理水よりも浸透圧の高い誘導溶液を使用して淡水化する順浸透膜法淡水化装置とを有する淡水製造装置において、前記順浸透膜法淡水化装置で生成する前記誘導溶液と膜浸透水との混合液から前記誘導溶液と淡水を蒸留分離する際の熱源の一部に、前記蒸発法淡水化装置で製造された淡水の顕熱を利用することを特徴とする淡水製造方法と、その装置に関するものである。
【発明の効果】
【００１１】
本発明によれば、蒸発法と順浸透膜法を組み合わせることにより、蒸発法で製造された淡水の熱を順浸透（ＦＯ）法における希釈誘導溶液から揮発性の溶質と淡水の蒸留分離に利用できるので、エネルギーを効率的に利用して淡水製造コストを下げることができる。従って、既設の蒸発法プラントにＦＯ法プラントを増設すれば、低コストで造水量を増加させることができる。
【図面の簡単な説明】
【００１２】
【図１】本発明の一実施例である淡水製造装置の概略構成を示すブロック線図である。
【図２】従来の淡水製造装置の概略構成を示すブロック線図である。
【図３】その後半部分の別の例のブロック線図である。
【発明を実施するための形態】
【００１３】
本発明で淡水（浄水）を得るのに使用される液体（被処理液）は溶媒が水であればよいが、例示すれば、海水、湖沼水、河川水、工場廃水などである。
【００１４】
本発明が適用される蒸発法淡水化装置は、特に制限されず、多段フラッシュ方式など如何なるものであってもよい。また、圧力も減圧式の外、常圧で行われるものであってもよい。この蒸発法淡水化装置には既設の設備を利用することができる。
【００１５】
蒸発淡水化装置の近隣に、順浸透膜法淡水化装置を設置し、蒸発法淡水化装置で製造された淡水の熱（温度６０〜７０℃）を順浸透膜法淡水化装置の蒸留分離工程の熱源の一部として利用する。
【００１６】
順浸透膜法淡水化装置は、順浸透膜を装着した半透膜装置と蒸留装置と冷却再生手段よりなる。
【００１７】
半透膜装置
半透膜は水を選択的に透過できるものがよく、市販の順浸透膜を好ましく使用できる。材質は特に制限されないが、例示すれば、酢酸セルロース系、ポリアミド系、ポリエチレンイミン系、ポリスルホン系、ポリベンゾイミダゾール系のものなどを挙げることができる。半透膜の形態も特に制限されず、平膜、管状膜、中空糸などいずれであってもよい。この半透膜装置では、被処理水と誘導溶液とを順浸透膜を介して接触させ、被処理水中の水をこの順浸透膜を通して誘導溶液に移動させる。
【００１８】
この誘導溶液は、所定量のアンモニアと二酸化炭素を水に溶解して生成する炭酸アンモニウム水溶液である。所定量とは、被処理水中の水を順浸透膜を通過させて誘導溶液まで移動させることができる濃度にする量であり、被処理水の塩濃度より高い濃度にする量である。濃度の上限は、アンモニアと二酸化炭素の塩、すなわち、炭酸アンモニウム、炭酸水素アンモニウム、アンモニウムカルバメート等が順浸透膜面や、蒸留塔内で析出しないように定められ、これは実験で求めることができる。順浸透膜面や蒸留塔内に析出物が生じたか否かの確認方法の一つとして長時間運転をして安定稼動可能かどうかで判断する方法がある。アンモニアと二酸化炭素のモル比は１．５〜３程度である。このモル比も順浸透膜面や蒸留塔内でアンモニアと二酸化炭素の塩が析出しないよう配慮する。
【００１９】
順浸透膜を装着する装置は通常は円筒形あるいは箱形の容器内に順浸透膜を設置して、この順浸透膜で仕切られた一方の室に被処理水を流し、他方の室に誘導溶液を流せるものであり、公知の半透膜装置を用いることができ、市販品を用いることができる。
【００２０】
被処理水を流す室の入口は被処理水の液溜（これは海や河川そのものであってもよく、タンク等であってもよい。）に配管接続される。出口側は通常は濃縮された被処理水の液溜に配管接続される。両配管を結ぶ循環ラインを設けて、被処理水を循環させることもできる。
【００２１】
誘導溶液を流す室の入口は冷却再生装置に配管接続され、出口は希釈誘導溶液温度調節手段に配管接続され、これによって誘導溶液の循環ラインが形成される。
【００２２】
なお、本発明においては、高濃度の誘導溶液を使用するので、塩の析出による配管の詰まりが生ずる可能性があり、これを防止するために、冷却再生装置の出口配管に希釈誘導溶液を通水するための希釈誘導溶液通水手段を設けることが好ましい。
【００２３】
希釈誘導溶液温度調節手段
希釈誘導溶液温度調節手段は、半透膜装置で被処理水から水を抽出して希釈された誘導溶液を所定の温度に調整する手段であり、所定の温度とはアンモニアと二酸化炭素の塩が析出しない温度であって、これは実験によって求めることができる。この温度調整は、通常は加熱によって行われる。この加温は、蒸留塔の塔頂から排出される前記ガスと熱交換してその温度を利用して行うことができ、あるいは、蒸留塔の塔底から排出される淡水と熱交換してその温度を利用することもできる。その両者を併用することもでき、あるいは別の熱源を利用することもできる。
【００２４】
希釈誘導溶液温度調節手段は、蒸留装置に配管接続される。
【００２５】
蒸留装置は、温度調整を行った希釈誘導溶液を蒸留してアンモニアと二酸化炭素を蒸発させて淡水を分離する装置であり、通常は、蒸留塔が用いられる。蒸留塔は公知のものを用いればよく、棚段方式、充填方式等いずれのものであってもよい。蒸留塔下部には加熱器を設け、下部の淡水を熱することにより発生する蒸気を上部から落下してくる希釈誘導溶液と接触させて熱交換させる。加熱器にはリボイラーや熱交換等を用いることができる。
【００２６】
本発明においては、この蒸留装置の熱源に蒸発法淡水化装置で得られる淡水の顕熱を利用するところに特徴がある。この利用方法は、熱交換器によって希釈誘導溶液と熱交換する間接的な方法でもよいし、直接淡水を蒸留塔に導入する方法でもよい。これによって、従来、廃棄されていた蒸発法淡水の熱を有効利用することができる。その際、必要により、他の熱源を併用することができる。他の熱源は問わないが、発電所のタービンから出てくる復水前の蒸気や、排熱から回収される熱水などを用いることができる。
【００２７】
蒸留によって、蒸留塔の塔頂部からは二酸化炭素、アンモニア、水蒸気からなるガスを得、塔底部からは淡水を得る。一方、塔底部から取り出される淡水は、二酸化炭素の含有量は１０ppm程度以下、アンモニアの含有量は１０ppm程度以下で、蒸留条件等によって、これらを１ppm以下にした淡水も得られる。
【００２８】
冷却再生手段
蒸留塔の塔頂から、希釈誘導溶液温度調節手段を経由して塔頂ガス冷却再生手段に配管接続し、塔頂部から得られる二酸化炭素、アンモニア、水蒸気からなるガスを冷却して水溶液状態にする。冷却手段は問わないが、熱交換器を用いることができる。冷却する熱源としては、特に限定されないが、河川水、海水、空気などを用いることができる。再生した誘導溶液は半透膜へ送って循環使用する。
【００２９】
なお、本発明においては、高濃度の誘導溶液を使用するので、塩の析出による配管の詰まりが生ずる可能性があり、これを防止するために、定期的にこの循環ラインに希釈誘導溶液を通水する、あるいは、誘導溶液の流量を瞬間的に増大することが好ましい。
【実施例】
【００３０】
本発明の一実施例である淡水製造装置の概略構成を図１に示す。
【００３１】
この装置は、被処理水供給装置５、蒸発法淡水化装置２、ＦＯモジュール（順浸透膜法淡水化装置）１、誘導溶液貯留槽３および蒸留装置４からなっている。
【００３２】
被処理水１１は、被処理水供給装置５によって蒸発法淡水化装置２と順浸透膜法淡水化装置１に送られ、蒸発法淡水化装置２からは、濃縮被処理水１２と淡水１４が排出される。
【００３３】
順浸透膜法淡水化装置１からは、膜を通過しなかった濃縮被処理水１２が排出される。一方、膜で仕切られた反対側の室には誘導溶液貯留槽３から誘導溶液１３が送入され、膜を通過した水で希釈されて室を出る。室を出た希釈誘導溶液１３は誘導溶液貯留槽３に返送され、循環ラインを形成している。
【００３４】
この誘導溶液貯留槽３に貯留された誘導溶液の一部は、蒸留装置４に送られ、蒸発したアンモニア、二酸化炭素および水は誘導溶液貯留槽３へ戻し溶解させる。蒸留装置４には、蒸発法淡水化装置２からも淡水１４の供給ラインが接続され、直接または間接的に熱交換を行い、その熱は蒸留装置４で使用される。蒸留によりアンモニア、二酸化炭素が除去された水は、最終的に淡水１４として抜き出される。
【産業上の利用可能性】
【００３５】
本発明により、順浸透膜法における誘導溶液と淡水の蒸留分離の熱源に蒸発法淡水化装置で得た淡水の顕熱を利用できるので、本発明は、海水等からの淡水の製造に広く利用できる。
【符号の説明】
【００３６】
１    順浸透膜法淡水化装置（ＦＯモジュール）
２    蒸発法淡水化装置
３    誘導溶液貯留槽
４    蒸留装置
５    被処理水供給装置
１１  被処理水
１２  濃縮被処理水
１３  誘導溶液
１４  淡水
【図１】
0005900745.tif 000002
【図２】
0005900745.tif 000003
【図３】
0005900745.tif 000004